(57)【要約】
【課題】　あらゆる種類の履物の立体収納が可能で、収納状態における安定性が優れ、かつ、収納されている履物を履く際には片手で簡単に履物を取り出すことができる履物収納具の提供を課題とすること。
【解決手段】　本考案の履物収納具５０は、下段パネル５１、上段パネル５２および支持部５３から形成されており、下段パネル５１に左右一足のうちの一方の履物５ａを、上段パネル５２に他方の履物５ｂを載置して立体収納を行う。
【選択図】　　　図７
0003099261.tif 000002
【実用新案登録請求の範囲】
【請求項１】
　左右一足の履物を上下に載置させて収納する履物収納具であって、
　左右一足のうちの一方の履物が載置される下段パネルと他方の履物を載置する上段パネルが上下に離隔して配置され、前記下段パネルおよび前記上段パネルの前部を支持部により連設されてなることを特徴とする履物収納具。
【請求項２】
　前記上段パネルが、前記下段パネルに対しパネル間の間隔が後部において拡開するよう傾斜させて設けられたことを特徴とする請求項１に記載の履物収納具。
【請求項３】
　前記上段パネル上面前部には、上部に突出した板状ストッパーが着脱可能に設けられていることを特徴とする請求項２に記載の履物収納具。
【請求項４】
　前記支持部が、前記下段パネルと前記上段パネルによって挟まれる空間の前部を後部側に開いた状態で囲むように形成されていることを特徴とする請求項１から請求項３のいずれかに記載の履物収納具。
【請求項５】
　前記支持部の前部が前記支持部の後部より幅狭に形成され、前記支持部の前部左右両側面が把持部に形成されていることを特徴とする請求項４に記載の履物収納具。
【請求項６】
　前記支持部に貫通孔が設けられていることを特徴とする請求項１から請求項５のいずれかに記載の履物収納具。
【請求項７】
　前記貫通孔が、前記支持部両側部に設けられていることを特徴とする請求項６に記載の履物収納具。
【考案の詳細な説明】
【技術分野】
【０００１】
　本考案は、左右一足の靴を収納する際に用いられる靴収納具に関する。
【背景技術】
【０００２】
　従来から、玄関や下駄箱の限られたスペースにより多くの履物を収納するための靴収納具が提案されている（例えば、特許文献１、２参照）。
【特許文献１】特開２００１−８７５０号公報
【特許文献２】実用新案登録第３０９１７０１号公報
【考案の開示】
【考案が解決しようとする課題】
【０００３】
　上記で開示されている履物収納具は、左右一対の履物に上部ホルダおよび下部ホルダを挿入し、左右一対の履物を上下に対向させた状態で立体収納するものである。しかしながら、これらの履物収納具は、ホルダの形状が一定であるので、あらゆる種類の履物に対応することができないという問題がある。また、これらの履物収納具は、下部ホルダを左右一対の履物の片方に挿入することにより、他方の履物を支えているので、ヒールが細く、かつ高い履物を収納する場合は収納状態における安定性が悪いという問題がある。さらには、収納されている履物を履く際には、左右の履物を各ホルダから取り外す必要があり面倒であった。
【０００４】
　本考案は、かかる事情に鑑みてなされたものであり、あらゆる種類の履物の立体収納が可能で、収納状態における安定性が優れ、かつ、収納されている履物を履く際には片手で簡単に履物を取り出すことができる履物収納具の提供を課題とする。
【課題を解決するための手段】
【０００５】
　上記の課題を解決するため、本考案は、左右一足の履物を上下に載置させて収納する履物収納具であって、左右一足のうちの一方の履物が載置される下段パネルと他方の履物を載置する上段パネルが上下に離隔して配置され、下段パネルおよび上段パネルの前部を支持部により連設されてなることを特徴とするものである。
【０００６】
　上記の履物収納具は、２枚のパネルを用いることで、左右一足の履物を上下に並べるので、あらゆる種類の履物の立体収納が可能で、収納状態における安定性が優れたものであり、かつ、収納されている履物を履く際には片手で簡単に履物を取り出すことができる。また、この履物収納具を移動させる際には、支持部を掴むことができ、好適である。さらには、店頭等で履物を陳列する際、この支持部にラベルを貼り付けるなど、表示部としても利用することができる。
【０００７】
　請求項２に記載の履物収納具は、上段パネルが、下段パネルに対しパネル間の間隔が後部において拡開するよう傾斜させて設けられたことを特徴とするものである。
【０００８】
　上記の履物収納具は、上段パネルが下段パネルに対し傾斜しているので、特にヒールの高い履物を収納する場合には、収納スペースをさらに縮小することが可能となる。また、店頭等の限られたスペースにこの履物収納具を用いて履物を陳列する場合、上段パネルに載置された履物が遠くからでも見えやすく、陳列用としても好適である。さらに、履物を収納しないときには、後部から他の履物収納具を挿入し、コンパクトにまとめることができる。
【０００９】
　上記に加え、請求項３に記載の履物収納具の上段パネル上面前部には、上部に突出した板状ストッパーが着脱可能に設けられていることを特徴とするものである。
【００１０】
　上記の履物収納具の上段パネル上面前部に設けられた板状ストッパーは、上段パネルに載置される履物に対し、滑り止めとして機能する。ここで、上段パネル上面前部に板状ストッパーが設けられていると、履物の収納を行わず後部から他の履物収納具を挿入して収納する場合、挿入する履物収納具の上段パネル上面前部に設けられた板状ストッパーが、挿入される履物収納具の上段パネルの下面に当たり、コンパクトにまとめることができないが、上記の履物収納具は、板状ストッパーが着脱可能に設けられているので、不使用時にはこの板状ストッパーを取り外し、よりコンパクトにまとめることが可能となる。
【００１１】
　請求項４に記載の履物収納具は、支持部が、下段パネルと上段パネルによって挟まれる空間の前部を後部側に開いた状態で囲むように形成されていることを特徴とするものである。
【００１２】
　上記の履物収納具は、支持部が下段パネルと上段パネルの前部側を囲むように形成されているので、履物収納具を移動させる際には、支持部の両側面部でしっかり掴むことができ、より好適である。
【００１３】
　上記に加え、請求項５に記載の履物収納具は、支持部の前部が支持部の後部より幅狭に形成され、支持部の前部左右両側面が把持部に形成されているので、履物収納具を移動させる際には、支持部がより掴みやすい構造となっており、特に好適である。また、この履物収納具複数個を下駄箱等にきっちりと横に並べて履物の収納を行う場合、把持部が形成されているので、隣接する履物収納具との間に空間が生じ、取り出しやすいという利点もある。
【００１４】
　請求項６に記載の履物収納具は、支持部に貫通孔が設けられていることを特徴とするものである。
【００１５】
　例えば、上記の履物収納具複数個を下駄箱等にきっちりと横に並べて履物の収納を行う場合、下段パネルに載置されている履物は密閉され、風通しの悪い状態となる。このような状況においては、この履物収納具の支持部に設けられた貫通孔が通気孔の役割を果たし、湿った履物を収納する場合においても好適である。また、支持部が下段パネルと上段パネルによって挟まれる空間の前部を後部側に開いた状態で囲むように形成されている場合において、支持部を掴んで履物収納具を移動させる際、この貫通孔は、滑り止めとしても機能する。
【００１６】
　上記に加え、通気孔としての機能をさらに高めるという観点から、請求項７に記載の履物収納具は、貫通孔が支持部両側部に設けられていることを特徴とするものである。さらに、支持部中央部には貫通孔が設けられていないので、貫通孔を塞ぐことなく支持部にラベル等を貼り付けることができ、店頭等における履物の陳列に好適である。
【考案の効果】
【００１７】
　以上説明したように、本考案の履物収納具は、２枚のパネルを用いることで、左右一足の履物を上下に並べるので、あらゆる種類の履物の立体収納が可能で、収納状態における安定性が優れたものであり、かつ、収納されている履物を履く際には片手で簡単に履物を取り出すことができる。
【考案を実施するための最良の形態】
【００１８】
　以下、本考案の実施の形態を添付図面に沿って説明するが、本考案はこれらの実施の形態例に記載されたもののみに限定されるものではない。
【００１９】
　本考案の履物収納具は、下段パネル、上段パネルおよび支持部から形成されており、下段パネルに左右一足のうちの一方の履物を、上段パネルに他方の履物を載置して立体収納を行う。
【００２０】
　下段パネルおよび上段パネルの形状は、特に限定されるものではないが、収納状態における優れた安定性が得られ、かつ、限られたスペースにより多くの履物の収納を可能にするという観点から、略長方形が好ましい。
【００２１】
　下段パネル、上段パネルおよび支持部の材質は、上記のような構成にすることができれば特に限定されるものではなく、例えば、合成樹脂、金属、木材等が挙げられるが、成形性の観点から、合成樹脂が好ましく用いられる。
【００２２】
　図１は、本考案の実施の形態１を示す履物収納具１０の正面図である。この履物収納具１０は、下段パネル１１、上段パネル１２および支持部１３から形成されており、上段パネル１２が下段パネル１１に対しパネル間の間隔が後部において拡開するように形成されている。よって、図１に示すように、ヒールの高い靴を収納する場合は、下段パネルに載置される履物１ａと上段パネルに載置される履物１ｂとを反対方向に載置すると、収納スペースを縮小することができる。また、履物１ｂが上向きに傾斜した状態で載置されているので、店頭等での陳列用としても好適である。
【００２３】
　図２は、履物収納具１０を重ねた状態を示す正面図である。履物収納具１０は、上段パネル１２が下段パネル１１に対し傾斜しているので不使用時には後部から他の履物収納具１０を挿入でき、図２に示すように、コンパクトにまとめることができる。
【００２４】
　上記のように、上段パネルが下段パネルに対し傾斜している場合、上段パネル上面に、上段パネルに載置される履物に対する滑り止め機能を付与することが好ましい。かかる機能を付与する方法としては、例えば、板状ストッパー、突起状ストッパー、ゴム、合成樹脂等からなるシートもしくはテープ等を上段パネル上面に設ける方法、もしくは上段パネル上面にシボ加工等を施す方法等が挙げられ、これらを単独でまたは２種以上を用いることができる。本考案では、これらの中でも、板状ストッパーが好ましく用いられる。
【００２５】
　図３は、本考案の実施の形態２を示す履物収納具２０の外観斜視図である。履物収納具２０の下段パネル２１および上段パネル２２は、後部側が略半円形状を有している。上段パネル２２の上面前部には、上部に突出した板状ストッパー２４が設けられている。この板状ストッパーの形状は特に限定されるものではないが、履物の踵部分を保持する機能を高めるという観点から、図４に示すように前部方向に凸状に弧を描くように形成されることが好ましい。
【００２６】
　なお、図３では、板状ストッパー２４は、上段パネル２２の上面前部にのみ設けられているが、上段パネル２２に載置された履物２ｂの横転を防止する等の観点から、上段パネルの上面左右側部にも設けられていてもよい。
【００２７】
　図４は、本考案の実施の形態３を示す履物収納具３０の外観斜視図である。履物収納具３０の上段パネル３２の上面には、板状ストッパー３４に加え突起状のストッパー３５が設けられている。
【００２８】
　図５は、履物収納具３０を重ねた状態を示す断面図である。板状ストッパー３４は上段パネル３２に対し着脱可能に設けられており、不使用時には、板状ストッパー３４を上段パネル３２から取り外した履物収納具３０を、他の履物収納具３０の後部から挿入することができ、よりコンパクトにまとめることができる。また、支持部３３に止め具３６が設けられているが、板状ストッパー３４が上段パネル３２を貫通するのを防ぐためのものであり、適宜用いることができる。
【００２９】
　図６は、本考案の実施の形態４を示す履物収納具４０の外観斜視図である。この履物収納具４０の支持部４３は、持ち運び時に、支持部４３の両側面部をしっかり掴むことができるように、下段パネル４１と上段パネル４２によって挟まれる空間の前部を後部側に開いた状態で囲むように形成されている。
【００３０】
　図７は、本考案の実施の形態５を示す履物収納具５０の外観斜視図である。この履物収納具５０の支持部５３の前部は後部より幅狭に形成されており、把持部として形成されているので、支持部がより掴みやすい構造となっており、より好適である。なお、本実施の形態では、下段パネル５１および上段パネル５２は、支持部５３の形状に対応して前部が略半円形状を有している。
【００３１】
　図８は、本考案の実施の形態６を示す履物収納具６０の外観斜視図である。この履物収納具６０の支持部６３には横方向に細長い形状を有した貫通孔６７が設けられている。貫通孔の形状は、特に限定されるものではないが、支持部が下段パネルと上段パネルによって挟まれる空間の前部を後部側に開いた状態で囲むように形成されている場合において、支持部を掴んで履物収納具を移動させる際の滑り止めとしての機能を向上させる観点から、横方向もしくは縦方向に細長い形状が好ましい。
【００３２】
　図９は、本考案の実施の形態７を示す履物収納具７０の外観斜視図である。この履物収納具７０の支持部７３の両側には横方向に細長い形状を有した貫通孔７７、７７が設けられている。支持部７３中央部には貫通孔が形成されていないので、ラベル等を貼り付けることができ、店頭等における履物の陳列に好適である。
【図面の簡単な説明】
【００３３】
【図１】本考案の実施の形態１の履物収納具を示す正面図である。
【図２】本考案の実施の形態１の履物収納具を重ねた状態を示す正面図である。
【図３】本考案の実施の形態２の履物収納具を示す外観斜視図である。
【図４】本考案の実施の形態３の履物収納具を示す外観斜視図である。
【図５】本考案の実施の形態３の履物収納具を重ねた状態を示す断面図である。
【図６】本考案の実施の形態４の履物収納具を示す外観斜視図である。
【図７】本考案の実施の形態５の履物収納具を示す外観斜視図である。
【図８】本考案の実施の形態６の履物収納具を示す外観斜視図である。
【図９】本考案の実施の形態７の履物収納具を示す外観斜視図である。
【符号の説明】
【００３４】
１０、２０、３０、４０、５０、６０、７０　履物収納具
１１、２１、３１、４１、５１、６１、７１　下段パネル
１２、２２、３２、４２、５２、６２、７２　上段パネル
１３、２３、３３、４３、５３、６３、７３　支持部
２４、３４、４４、５４、６４、７４　板状ストッパー
３５、４５、５５、６５、７５　突起状ストッパー
３６　止め具
６７、７７　貫通孔
１ａ、１ｂ　履物
２ａ、２ｂ　履物
５ａ、５ｂ　履物
【図１】
0003099261.tif 000003
【図２】
0003099261.tif 000004
【図３】
0003099261.tif 000005
【図４】
0003099261.tif 000006
【図５】
0003099261.tif 000007
【図６】
0003099261.tif 000008
【図７】
0003099261.tif 000009
【図８】
0003099261.tif 000010
【図９】
0003099261.tif 000011